(57)【要約】【課題】各色の画素に対応する液晶印加電圧を補正する専用ドライバＩＣを必要とせず、かつ、汎用的に階調つぶれを改善する。【解決手段】本発明の液晶表示装置１は、複数の画素を有する液晶表示パネル２を備えている。各画素における、液晶１５と、ＴＦＴ（スイッチング素子）のドレインとの間の抵抗値は、当該画素が表示する色に応じて異なっている。【選択図】図２
2009276595.tif 000002
【特許請求の範囲】
【請求項１】
複数の画素を有する液晶表示パネルであって、
前記画素における、液晶と、スイッチング素子のドレインとの間の抵抗値が、当該画素が表示する色に応じて異なっていることを特徴とする液晶表示パネル。
【請求項２】
前記画素における前記画素電極の一部がスルーホールを形成しており、
前記スルーホールの直径が、当該スルーホールを含む前記画素が表示する色に応じて異なっていることを特徴とする請求項１に記載の液晶表示パネル。
【請求項３】
前記画素における前記画素電極が、前記画素が表示する色に応じて異なる抵抗値を有する膜によって形成されていることを特徴とする請求項１または２に記載の液晶表示パネル。
【請求項４】
複数の画素を有する液晶表示パネルであって、
前記画素における電極が液晶に接している部分の面積が、前記画素が表示する色に応じて異なっていることを特徴とする液晶表示パネル。
【請求項５】
前記画素電極と前記ドレインとの間に抵抗が形成されていることを特徴とする１から４のいずれかの１項に記載の液晶表示パネル。
【請求項６】
複数の画素を有する液晶表示パネルであって、
前記画素における、液晶と、スイッチング素子のドレインとの間の容量の値が、当該画素が表示する色に応じて異なっていることを特徴とする液晶表示パネル。
【請求項７】
前記画素における、前記画素電極と前記ドレインとの間の距離が、前記画素が表示する色に応じて異なっていることを特徴とする請求項６に記載の液晶表示パネル。
【請求項８】
複数の画素を有する液晶表示パネルであって、
前記画素における補助容量の値が、当該画素が表示する色に応じて異なり、かつ、共通電極と画素電極との間の電位差を容量の結合による誘起により変化させる駆動を行うことを特徴とする液晶表示パネル。
【請求項９】
請求項１から８のいずれか１項に記載の液晶表示パネルを備えている液晶表示装置。
【発明の詳細な説明】
【技術分野】
【０００１】
本発明は、画像をカラー表示する液晶表示パネルおよび液晶表示装置に関する。
【背景技術】
【０００２】
従来、液晶表示装置における液晶の各色の透過率を改善する手法として、いくつかの技術が開示されている。
【０００３】
特許文献１には、カラーフィルタのＲＧＢそれぞれに対応する液晶に印加される電圧の値を補正して色を正しく表示する駆動回路（以降、ドライバＩＣと記載）を作成して、ディスプレイを駆動し、階調つぶれを防ぐ技術が開示されている。
【０００４】
この技術によれば、カラー液晶ディスプレイの特性に充分に適合した最適なガンマ補正を行うことができる。また、赤、緑、青のいずれか特定の色において階調つぶれが発生した場合でも、その色の階調つぶれを取り除くことができる。
【０００５】
しかし特許文献１の技術では、ドライバＩＣ側の設計の負荷が増大してしまう。同時に、ドライバＩＣが汎用性を失うので、他の画素配置のパネルに転用できなくなる。
【０００６】
そこでドライバＩＣの設計を要することなく光学特性を向上する技術がいくつか開発されており、以下に説明する。
【０００７】
特許文献２には、横電界方式の液晶表示素子を用いる液晶装置において、画素電極とソース配線との間に、電荷蓄積容量を形成する技術が開示されている。
【０００８】
この技術によれば、ＲＧＢそれぞれの画素の電荷蓄積容量が予め、ある一定の関係を満たすように設定し、ＲＧＢの各色表示部において最大輝度が得られる印加電圧を一定とすることによって、輝度の損失を防ぐ。
【０００９】
しかし特許文献２の技術は、横電界方式以外の液晶表示素子には応用できない。たとえば、アクティブマトリックス型の液晶表示素子において広く用いられているＴＮ（ツイステッドネマティック）モードなどには応用できない。
【００１０】
横電界方式に限らない液晶表示素子の技術例を以下に説明する。
【００１１】
特許文献３には、一画素自体が、面積が異なる副画素で構成される表示装置において、透明電極を抵抗が異なる配線と接続する技術が開示されている。
【００１２】
この技術によれば、面積が異なる副画素の透明電極を抵抗が異なる配線と接続する。これにより、副画素ごとに異なる、液晶に印加される駆動波形の遅延特性（波形の立ち上がり、立ち下がりの時間）が解消される。したがって、画面の輝度ムラ、階調性の低下が期待できる。
【特許文献１】特開２００１−１３４２４２号（公開日：２００１年５月１８日）
【特許文献２】特開２００３−２４１２１３号（公開日：２００３年８月２７日）
【特許文献３】特開平９−２６９４７８号（公開日：１９９７年１０月１４日）
【発明の開示】
【発明が解決しようとする課題】
【００１３】
しかし上述した従来技術には、次のような問題がある。特許文献１に記載の技術は専用のドライバＩＣを要することから、構成が複雑になり、コストが増大してしまう。特許文献２および３の技術では、特定の液晶表示装置にのみ適用が限定されてしまう。
【００１４】
本発明は、上記の問題点に鑑みてなされたものであり、その目的は、各色の画素に対応する液晶印加電圧を補正する専用ドライバＩＣを必要とせず、かつ、汎用的に階調つぶれを改善できる液晶表示パネルおよび液晶表示装置を提供することにある。
【課題を解決するための手段】
【００１５】
複数の画素を有する液晶表示パネルであって、
前記画素における、液晶と、スイッチング素子のドレインとの間の抵抗値が、当該画素が表示する色に応じて異なっていることを特徴とする。
【００１６】
上記の構成によれば、液晶表示パネルは、複数の画素を有している。これらの複数の画素は、互いに異なる色を表示する。ここでいう互いに異なる色とは、たとえば色光の三原色のことである。本液晶表示パネルでは、各画素における、液晶と、スイッチング素子のドレインとの間の抵抗値が、当該画素が表示する色に応じて異なっている。これにより、電圧印加時の各画素に対応する液晶部分に印加される実効電圧を異ならせることができる。すなわち、各色において透過率が最大となる電圧を、各色の画素に印加することが可能である。
【００１７】
以上のように、液晶表示パネルは、各画素における抵抗を異ならせることにより、各画素に対する実効電圧を変化させる。これにより各画素における階調つぶれを回避し、当該液晶表示パネルが有する画素全体の透過率を向上させることができる効果を奏する。また、このような効果を専用のＩＣドライバを必要とせずに実現できる。
【発明の効果】
【００１８】
以上のように、本発明に係る液晶表示パネルは、各色の画素ごとに液晶に印加される実効電圧を変える構成により、各画素における階調つぶれを回避し、当該液晶表示パネルが有する画素全体の透過率を向上させる効果を奏する。
【発明を実施するための最良の形態】
【００１９】
〔実施形態１〕
本発明に係る液晶表示装置の第１の実施形態について、図１および図２を参照して以下に説明する。
【００２０】
図１は本発明の一実施形態に係る液晶表示装置１の概要構成を示す図である。図１に示すように、液晶表示装置１は液晶表示パネル２を備えている。
【００２１】
図２は本発明の一実施形態に係る液晶表示パネル２の断面図である。図２に示すように、液晶表示パネル２は、カラーフィルタ基板１０、ブラックマトリックス１１、カラーフィルタ１２、１３、共通電極１４、液晶１５、画素電極１６、スルーホール１７、１８、ソース電極１９、透明絶縁膜２０、層間絶縁膜２１、ＴＦＴ（Ｔｈｉｎ  Ｆｉｌｍ  Ｔｒａｎｓｉｓｔｏｒ：薄膜トランジスタ）基板２２、補助容量２３、およびゲートバスライン２４を備えている。カラーフィルタ１２は緑色のカラーフィルタであり、カラーフィルタ１３は青色のカラーフィルタである。共通電極１４および画素電極１６の材料は、それぞれＩＴＯ（Ｉｎｄｉｕｍ  Ｔｉｎ  Ｏｘｉｄｅ：インジウム錫酸化物）である。スルーホール１７は緑色のカラーフィルタ１２側の透明絶縁膜２０に設けられており、スルーホール１８は青色のカラーフィルタ１３側の透明絶縁膜２０に設けられている。各部材の詳細については後述する。また、以下ではカラーフィルタ１２を有する画素を「緑色の画素」と称し、カラーフィルタ１３を有する画素を「青色の画素」と称する。
【００２２】
まず、液晶表示パネル２の構成について、図２を参照して以下に説明する。
【００２３】
図２に示すように液晶表示パネル２において、液晶１５を間に挟み、片方にカラーフィルタ基板１０、もう片方にＴＦＴ基板２２が配置されている。カラーフィルタ基板１０の上には、ブラックマトリックス１１、カラーフィルタ１２、およびカラーフィルタ１３のそれぞれが形成されている。カラーフィルタ１２とカラーフィルタ１３との境で光漏れを防止するため、双方の間にブラックマトリックス１１が配置されている。カラーフィルタ１２、１３とブラックマトリックスの上にはさらに、共通電極１４が形成されている。
【００２４】
一方、ＴＦＴ基板２２の上には補助容量２３およびゲートバスライン２４が形成されており、これらを層間絶縁膜２１が覆っている。補助容量２３が形成されている部分の層間絶縁膜２１の上には、ソース電極１９が形成されている。層間絶縁膜２１の上に透明絶縁膜２０が形成されており、その上にはさらに、カラーフィルタ１２、カラーフィルタ１３のそれぞれの画素に対応する画素電極１６が形成されている。画素電極１６は、スルーホール１７およびスルーホール１８を介してソース電極１９に接続している。本実施形態では、スルーホール１８の直径（コンタクト径）は、スルーホール１７の直径より小さい。したがって、画素電極１６は、スルーホール１７とスルーホール１８のそれぞれの直径に合わせて形状を変えている。
【００２５】
次に、液晶表示パネル２における画素ごとの実効電圧について、図２を参照して説明する。
【００２６】
画素電極１６を通じて液晶１５に電圧が印加される。上記の構成により、青色の画素における、画素電極１６と、スイッチング素子のドレインとの間の抵抗値は、緑色の画素における、画素電極１６と、スイッチング素子のドレインとの間の抵抗値よりも大きくなっている。したがって、ＲＧＢの統一γ設定によって、駆動回路から各画素に同じ電圧を印加すると、青色の画素における液晶１５に印加される実効電圧を、緑色の画素における液晶１５に印加される実効電圧よりも、小さくすることができる。これにより青色の画素における階調つぶれを回避し、赤色、緑色、および青色の透過率を合わせた全体的な透過率も向上させることが可能である。
【００２７】
以上のように、液晶表示パネル２では、各画素における、液晶１５と、スイッチング素子のドレインとの間の抵抗値が、当該画素が表示する色に応じて異なっている。これにより、電圧印加時の各画素に対応する液晶部分に印加される実効電圧を異ならせることができる。すなわち、各色において透過率が最大となる電圧を、各色の画素に印加することが可能である。この効果の原理について次に説明する。
【００２８】
ここで、本発明の一実施形態に係る液晶表示パネル２における印加電圧と光の透過率の関係について、図３を参照して以下に説明する。
【００２９】
図３は、液晶印加電圧３１に対応する、光の透過率３２を示したグラフである。グラフ上には赤色の画素における光の透過率３３（以下、透過率３３）、緑色の画素における光の透過率３４（以下、透過率３４）、および青色の画素における光の透過率３５（以下、透過率３５）が太線で示されている。
【００３０】
グラフ直下の両方向矢印３９は、独立γ設定なしのドライバＩＣの液晶実効電圧設定範囲を示す。
【００３１】
両方向矢印３９の下に並ぶ３本の両方向矢印は、上から順に、青色の画素に対応する液晶１５に印加される電圧４０（以下、電圧４０）、緑色の画素に対応する液晶１５に印加される電圧４１（以下、電圧４１）、および赤色の画素に対応する液晶１５に印加される電圧４２（以下、電圧４２）である。このとき、電圧４０は、透過率３５が最大となる電圧であり、電圧４１より小さい。電圧４１は、ドライバＩＣでかけられる電圧の最大値である。透過率３３が最大となる電圧は電圧４１より大きいが、ドライバＩＣの設定上、電圧４２の値は最大の電圧４１の値と等しい。
【００３２】
赤色、緑色、および青色のそれぞれの画素に対応する液晶１５に電圧４１を印加したときの、透過率３３、３４、および３５の和（白色の透過率３８）は破線で示されている。
【００３３】
矢印３７は、電圧４１から電圧４０に変えたときの、透過率３５の向上を示す。このときの、透過率３３、３４、および３５の和（白色の透過率３６）はグラフ上に太線で示されている。
【００３４】
透過率３３、３４、および３５に示すように、各色によって光の透過率が最大となる電圧が異なる。たとえば、透過率３４が最大となる電圧は、電圧４１である。しかし、同電圧では、透過率３５は低く、青色の画素において階調つぶれがおきてしまう。
【００３５】
そこで、本実施形態のように、青色の画素に対応する液晶１５に印加される電圧のみ、緑色の画素に対応する液晶１５に印加される電圧より小さくする。すなわち電圧４１ではなく電圧４０が印加されるようにする。これにより、透過率３５は最大となるので、青色の画素における階調つぶれは回避される。結果的に白色の透過率３６も、電圧４１を印加したときの白色の透過率３８に比べて向上する。なお、赤色の画素（すなわち赤色のカラーフィルタを含む画素）は緑色の画素と同様の構造であればよい。
【００３６】
以上のように、液晶表示パネル２では、各画素における階調つぶれを回避し、当該液晶表示パネルが有する画素全体の透過率を向上させることができる効果を奏する。また、このような効果を専用のドライバＩＣを必要とせずに実現できる。さらにこの効果（光学特性の向上）は、専用のドライバＩＣを用いた補正処理（ＲＧＢ独立γ設定）と同等のものである。すなわち液晶透過率を向上でき、ＮＴＳＣ比を向上でき、色度座標を補正でき、かつ、セル厚ムラを抑制できる。
【００３７】
ここで、液晶表示パネル２における、セル厚ムラによる色ムラ制御について、図４を参照して以下に補足する。
【００３８】
図４は、光の透過率４３に対応する、セル厚が変動した場合の白の色度座標シフト量４４を示したグラフである。グラフ上にはＲＧＢ全てのセルに印加される電圧を同時に下げた場合の白の色度座標シフト量４５と、Ｂのセルに印加される電圧を下げた場合の白の色度座標シフト量４６とが、それぞれ太線矢印で示されている。
【００３９】
図４に示すように、液晶表示パネル２では、白の色度座標シフト量４５と白の色度座標シフト量４６に示すように、ＲＧＢ全てのセルに同じ電圧を印加するときよりも、Ｂのセルだけに小さい電圧を印加したときのほうが、透過率の低下を抑えつつ、白の色度座標シフト量（すなわち白のセル厚ムラ）も制御することができる。
【００４０】
〔実施形態２〕
本発明に係る液晶表示装置の第２の実施形態について、図５を参照して以下に説明する。なお、第１の実施形態にかかる部材と共通する部材には同じ番号を付し、詳細な説明を省略する。
【００４１】
まず、液晶表示パネル２ａの構成について、図５を参照して以下に説明する。
【００４２】
図５は本実施形態に係る液晶表示パネル２ａの断面図である。図５に示すように、液晶表示パネル２ａは、カラーフィルタ基板１０、ブラックマトリックス１１、カラーフィルタ１２、１３、共通電極１４、液晶１５、画素電極１６、画素電極５３、スルーホール１７、１８、ソース電極１９、透明絶縁膜２０、層間絶縁膜２１、ＴＦＴ基板２２、補助容量２３、およびゲートバスライン２４を備えている。
【００４３】
図５に示すように液晶表示パネル２ａの構成は、液晶表示パネル２の構成とほぼ同様である。異なる点は、スルーホール１８およびカラーフィルタ１３の画素に対応する画素電極である。スルーホール１８の直径は、スルーホール１７の直径と等しい。一方、青色の画素は、画素電極１６とは異なる膜によって形成される画素電極５３を有している。本実施形態では、画素電極１６の材料はＩＴＯであるが、画素電極５３の材料はａ−ＩＴＯである。ａ−ＩＴＯはＩＴＯよりも抵抗が高く、接触抵抗も異なる。なお、画素電極を形成する際、膜の構成材料、添加物の量、添加物の種類、成膜雰囲気の少なくともいずれかを、画素の色に応じて異ならせれば、画素電極を画素の色に応じた膜によって形成できる。
【００４４】
次に、液晶表示パネル２ａにおける画素ごとの実効電圧について、図５を参照して説明する。
【００４５】
液晶表示パネル２ａでは、画素電極５３を通じて、青色の画素における液晶１５に電圧が印加される。一方、画素電極１６を通じて、緑色の画素における液晶１５に電圧が印加される。ここで、液晶表示パネル２ａでは、画素電極５３の抵抗は画素電極１６のそれよりも高い。したがって、第１の実施形態と同様に、青色の画素に印加される実効電圧を、緑色の画素に印加される実効電圧よりも小さくすることができる。これにより青色の画素における階調つぶれを回避し、赤色、緑色、および青色の透過率を合わせた全体的な透過率も向上させることが可能である。なお、赤色の画素（すなわち赤色のカラーフィルタを含む画素）は緑色の画素と同様の構造であればよい。
【００４６】
〔実施形態３〕
本発明に係る液晶表示装置の第３の実施形態について、図６および図７を参照して以下に説明する。なお、第１または２の実施形態にかかる部材と共通する部材には同じ番号を付し、詳細な説明を省略する。
【００４７】
まず、液晶表示パネル２ｂに設けられた抵抗について、図６を参照して以下に説明する。
【００４８】
図６は本実施形態に係る液晶表示パネル２ｂの画素電極１６とＴＦＴ６１（スイッチング素子）との間に抵抗を形成したときの電気回路図である。この図に示すように、ソースバスライン６０は２本の線と交差している。１本は、ゲートバスライン２４である。ゲートバスライン２４と交差する位置にＴＦＴ６１が設置されている。ＴＦＴ６１のドレインと画素電極１６との間に、抵抗６２が形成されている。ソースバスライン６０と交差するもう1本の線は、補助容量バスライン６３である。補助容量バスライン６３には、補助容量６４および補助容量６５が並列に形成されている。
【００４９】
次に、液晶表示パネル２ｂの構成について、図７を参照して以下に説明する。
【００５０】
図７は本実施形態に係る液晶表示パネル２ｂの断面図である。図７に示すように、液晶表示パネル２ｂは、カラーフィルタ基板１０、ブラックマトリックス１１、カラーフィルタ１２、１３、共通電極１４、液晶１５、画素電極１６、スルーホール１７、１８、ソース電極１９、透明絶縁膜２０、層間絶縁膜２１、ＴＦＴ基板２２、補助容量２３、ゲートバスライン２４、および抵抗６２を備えている。
【００５１】
図７に示すように液晶表示パネル２ｂの構成は、液晶表示パネル２の構成とほぼ同様である。異なる点は、スルーホール１８および画素電極１６とソース電極１９との間に形成されている抵抗６２である。スルーホール１８の直径は、スルーホール１７の直径と等しい。
【００５２】
続いて、液晶表示パネル２ｂにおける画素ごとの実効電圧について、図７を参照して説明する。
【００５３】
液晶表示パネル２ｂでは、青色の画素における液晶１５および緑色の画素における液晶１５に、画素電極１６を通じて電圧が印加される。ここで、液晶表示パネル２ｂでは、青色の画素における画素電極１６とドレイン（またはソース電極１９）との間の抵抗が、緑色の画素における画素電極１６とドレイン（またはソース電極１９）との間の抵抗よりも高くなっている。したがって、第１の実施形態と同様に、青色の画素に印加される電圧をより小さくすることができる。これにより青色の画素における階調つぶれを回避し、赤色、緑色、および青色の透過率を合わせた全体的な透過率も向上させることが可能である。なお、赤色（すなわち赤色のカラーフィルタを含む画素）の画素は緑色の画素と同様の構造であればよい。
【００５４】
〔実施形態４〕
本発明に係る液晶表示装置の第４の実施形態について、図８を参照して以下に説明する。なお、第１から第３の少なくともいずれかの実施形態にかかる部材と共通する部材には同じ番号を付し、詳細な説明を省略する。
【００５５】
まず、液晶表示パネル２ｃの構成について、図８を参照して以下に説明する。
【００５６】
図８は本実施形態に係る液晶表示パネル２ｃの断面図である。図８に示すように、液晶表示パネル２ｃは、カラーフィルタ基板１０、ブラックマトリックス１１、カラーフィルタ１２、１３、共通電極１４、穴８０、液晶１５、画素電極１６、スルーホール１７、１８、ソース電極１９、透明絶縁膜２０、層間絶縁膜２１、ＴＦＴ基板２２、補助容量２３、およびゲートバスライン２４を備えている。
【００５７】
図８に示すように液晶表示パネル２ｃの構成は、液晶表示パネル２の構成とほぼ同様である。異なる点は、スルーホール１８およびカラーフィルタ１３の上に形成されている共通電極１４である。共通電極１４には、穴８０が形成されている。スルーホール１８の直径は、スルーホール１７の直径と等しい。
【００５８】
次に、液晶表示パネル２ｃにおける各画素の実効電圧について、図８を参照して説明する。
【００５９】
液晶表示パネル２ｃでは、青色の画素における液晶１５および緑色の画素における液晶１５に、共通電極１４を通じて電圧が印加される。ここで、液晶表示パネル２ｃでは、青色の画素に対応する共通電極１４に穴８０が形成されている。このように共通電極１４に穴８０が形成されていることにより、共通電極１４が液晶に接している部分の面積が、画素が表示する色に応じて異なっている。これにより、青色の画素における共通電極１４とドレイン（またはソース電極１９）との間の抵抗が、緑色の画素における共通電極１４とドレイン（またはソース電極１９）との間の抵抗よりも高くなっている。したがって、第１の実施形態と同様に、青色の画素に印加される電圧を小さくすることができる。これにより青色の画素における階調つぶれを回避し、赤色、緑色、および青色の透過率を合わせた全体的な透過率も向上させることが可能である。なお、赤色の画素（すなわち赤色のカラーフィルタを含む画素）は緑色の画素と同様の構造であればよい。
【００６０】
〔実施形態５〕
本発明に係る液晶表示装置の第５の実施形態について、図９および図１０を参照して以下に説明する。なお、第１から第４の少なくともいずれかの実施形態にかかる部材と共通する部材には同じ番号を付し、詳細な説明を省略する。
【００６１】
まず、液晶表示パネル２ｄに設けられた容量について、図９を参照して以下に説明する。
【００６２】
図９は本実施形態に係る液晶表示パネル２ｄの画素電極１６とＴＦＴ６１の間に容量を形成したときの電気回路図である。
【００６３】
図９に示すように、ソースバスライン６０は２本の線と交差している。１本は、ゲートバスライン２４である。ゲートバスライン２４と交差する位置にＴＦＴ６１が設置されている。ＴＦＴ６１のドレインと画素電極１６との間に距離が設けられ、容量９０が形成されている。ソースバスライン６０と交差するもう1本の線は、補助容量バスライン６３である。補助容量バスライン６３には、補助容量６４および補助容量６５が並列に形成されている。
【００６４】
次に、液晶表示パネル２ｄの構成について、図１０を参照して以下に説明する。
【００６５】
図１０は本実施形態に係る液晶表示パネル２ｄの断面図である。図１０に示すように、液晶表示パネル２ｄは、カラーフィルタ基板１０、ブラックマトリックス１１、カラーフィルタ１２、１３、共通電極１４、液晶１５、画素電極１６、スルーホール１７、１８、ソース電極１９、透明絶縁膜２０、層間絶縁膜２１、ＴＦＴ基板２２、補助容量２３、ゲートバスライン２４、および容量９０を備えている。
【００６６】
図１０に示すように液晶表示パネル２ｄの構成は、液晶表示パネル２の構成とほぼ同様である。異なる点は、スルーホール１８および容量９０である。スルーホール１８の形状はスルーホール１７とは異なるが、直径は互いに等しい。一方、青色の画素では画素電極１６とドレインとの間に容量９０がさらに形成されている。緑色の画素にはこのような容量９０は形成されていない。
【００６７】
続いて、液晶表示パネル２ｄにおける画素ごとの実効電圧について、図１０を参照して説明する。
【００６８】
液晶表示パネル２ｄでは、青色の画素における液晶１５および緑色の画素における液晶１５に、画素電極１６を通じて電圧が印加される。ここで、液晶表示パネル２ｄでは、青色の画素における画素電極１６とドレイン（またはソース電極１９）との間の容量の値が、緑色の画素における画素電極１６とドレイン（またはソース電極１９）との間の容量の値よりも大きい。したがって、第１の実施形態と同様に、青色の画素に印加される実効電圧を、緑色の画素における実効電圧よりも小さくすることができる。これにより青色の画素における階調つぶれを回避し、赤色、緑色、および青色の透過率を合わせた全体的な透過率も向上させることが可能である。なお、赤色の画素（すなわち赤色のカラーフィルタを含む画素）は緑色の画素と同様の構造であればよい。
【００６９】
〔実施形態６〕
本発明に係る液晶表示装置の第６の実施形態について、図１１を参照して以下に説明する。なお、第１から第５の少なくともいずれかの実施形態にかかる部材と共通する部材には同じ番号を付し、詳細な説明を省略する。
【００７０】
まず、液晶表示パネル２ｅの構成について、図１１を参照して以下に説明する。
【００７１】
図１１は本実施形態に係る液晶表示パネル２ｅの断面図である。図１１に示すように、液晶表示パネル２ｅは、カラーフィルタ基板１０、ブラックマトリックス１１、カラーフィルタ１２、１３、共通電極１４、液晶１５、画素電極１６、スルーホール１７、１８、ソース電極１９、透明絶縁膜２０、層間絶縁膜２１、ＴＦＴ基板２２、補助容量２３、補助容量１１０、およびゲートバスライン２４を備えている。
【００７２】
図１１に示すように液晶表示パネル２ｅの構成は、液晶表示パネル２の構成とほぼ同様である。異なる点は、スルーホール１８および補助容量１１０である。スルーホール１８の直径は、スルーホール１７の直径と等しい。一方、青色の画素におけるＴＦＴ基板２２の上には、補助容量２３よりも小さい補助容量１１０が形成されている。
【００７３】
次に、液晶表示パネル２ｅにおける画素ごとの実効電圧について、図１１を参照して説明する。
【００７４】
液晶表示パネル２ｅでは、青色の画素における液晶１５および緑色の画素における液晶１５に、画素電極１６を通じて電圧が印加される。このとき液晶表示パネル２ｅは直流駆動（ＤＣ駆動）される。これにより液晶表示パネル２ｅの各画素には、ドライバからの出力に応じた電圧に加え、液晶の実効電圧の変化によって補助容量により発生する電圧も印加される。この補助容量により発生する電圧の値は、補助容量振幅×（補助容量÷画素容量）となる。青色の画素における補助容量１１０の値は、緑色の画素における補助容量１６の値よりも小さいので、青色の画素に印加される合計実効電圧を、緑色の画素に印加される合計実効電圧よりも小さくできる。これにより第１の実施形態と同様に、青色の画素における階調つぶれを回避し、赤色、緑色、および青色の透過率を合わせた全体的な透過率も向上させることが可能である。なお、赤色の画素（すなわち赤色のカラーフィルタを含む画素）は緑色の画素と同様の構造であればよい。
【００７５】
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【００７６】
たとえば本発明は、互いに異なる色を表示する複数種類の画素を有した液晶表示パネルであって、上記各画素における画素電極と共通電極と間の抵抗値が、当該画素が表示する色に応じて異なっている液晶表示パネルであればよい。すなわち、画素電極と共通電極と間の抵抗値は、画素が表示する色（赤色、青色、緑色）に応じて異なっていればよい。また、全てが互いに完全に異なる抵抗値になっている必要は必ずしもなく、たとえば上述した各実施形態では、緑色の画素における画素電極と共通電極と間の抵抗値は、赤色の画素における画素電極と共通電極と間の抵抗値と等しくなっている。つまり階調つぶれを防止した画素における画素電極と共通電極と間の抵抗値を、適宜適切な値に設定すればよい。
【産業上の利用可能性】
【００７７】
本発明は、互いに異なる色を表示する複数種類の画素を有した液晶表示装置として、幅広く利用できる。たとえばアクティブマトリックス型の液晶表示装置として実現できる。
【図面の簡単な説明】
【００７８】
【図１】本発明の一実施形態に係る液晶表示装置と液晶表示パネルの構成図である。
【図２】本発明の一実施形態に係る液晶表示パネルの断面図である。
【図３】液晶印加電圧に対応する、光の透過率を示したグラフである。
【図４】光の透過率に対応する、セル厚が変動した場合の白の色度座標シフト量を示したグラフである。
【図５】本発明の一実施形態に係る液晶表示パネルの断面図である。
【図６】画素電極と、ＴＦＴのドレインとの間に抵抗を形成したときの電気回路図である。
【図７】本発明の一実施形態に係る液晶表示パネルの断面図である。
【図８】本発明の一実施形態に係る液晶表示パネルの断面図である。
【図９】画素電極と、ＴＦＴのドレインとの間に容量を形成したときの電気回路図である。
【図１０】本発明の一実施形態に係る液晶表示パネルの断面図である。
【図１１】本発明の一実施形態に係る液晶表示パネルの断面図である。
【符号の説明】
【００７９】
１    液晶表示装置
２    液晶表示パネル
１０    カラーフィルタ基板
１１    ブラックマトリックス
１２、１３  カラーフィルタ
１４    共通電極
１５    液晶
１６    画素電極
１７、１８    スルーホール
１９    ソース電極
２０    透明絶縁膜
２１    層間絶縁膜
２２    ＴＦＴ基板
２３、６４、６５、１１０    補助容量
２４    ゲートバスライン
５３    画素電極
６０    ソースバスライン
６１    ＴＦＴ
６２    抵抗
６３    補助容量バスライン
８０    穴
９０    容量
【図１】
2009276595.tif 000003
【図２】
2009276595.tif 000004
【図３】
2009276595.tif 000005
【図４】
2009276595.tif 000006
【図５】
2009276595.tif 000007
【図６】
2009276595.tif 000008
【図７】
2009276595.tif 000009
【図８】
2009276595.tif 000010
【図９】
2009276595.tif 000011
【図１０】
2009276595.tif 000012
【図１１】
2009276595.tif 000013